(57)【要約】  折り畳み可能なIVスタンド(２)の保管のためのシステム(１)は、少なくとも１つの第１のIVスタンド(２)及び少なくとも１つの第２のIVスタンド(２)のための、少なくとも１つの懸架スタンド(３)を含む。IVスタンド(２)は、少なくとも１つの第１の懸架デバイス(１２)及び少なくとも１つの第２の懸架デバイス(１４)を含み、これらは、同じ一つの懸架デバイスに一体化され、この一つの懸架デバイスにより、スタンドは、IVスタンド(２)の保管に関連して吊り下げられ得る。懸架スタンド(３)は、少なくとも１つの第１の垂直レベル(４)及び少なくとも１つの第２の垂直レベル(５)に置かれる複数のIVスタンドを収容するようにデザインされる。IVスタンドの複合懸架デバイスは、少なくとも１つの第１のフック状構成部(１７)と、共通回転軸の周りに旋回可能に取り付けられる少なくとも１つの第２のフック状構成部(１７)とを含む。【選択図】図１Ａ
2015520651.tif 000002
【特許請求の範囲】
【請求項１】
折り畳み可能なIVスタンド(２)の保管のためのシステム(１)であって、前記IVスタンド(２)は、少なくとも１つの入れ子式のポール(１１)を含み、その一方の端部又はその近傍には、IVバッグのための少なくとも１つの懸架デバイス(１２)を含み、その他方の端部は、少なくとも１つのベース支持デバイス(１３)に接続し、前記システムは、少なくとも１つの第１のIVスタンド(２)及び前記少なくとも１つの第２のIVスタンド(２)のための保管デバイスとして用いられる、少なくとも１つの懸架スタンド(３)を含み、前記IVスタンドは、少なくとも１つの第２の懸架デバイス(１４)を含み、これを用いて、前記スタンドは、前記IVスタンド(２)の保管に関連して吊り下げられることができ、前記第１の懸架デバイス(１２)及び前記第２の懸架デバイス(１４)は、同じ一つの懸架デバイスに一体化され、前記IVスタンドは、引き込められた位置で前記懸架スタンド(３)に吊り下げられて保管されるように配置され、吊り下げられた位置での前記IVスタンドの軸方向は、垂直重力作用方向に一致又は実質的に一致し、前記懸架スタンド(３)は、少なくとも１つの第１の垂直レベル(４)及び少なくとも１つの第２の垂直レベル(５)に配置される複数の前記IVスタンドを収容するようにデザインされ、前記IVスタンドの複合懸架デバイスは、少なくとも１つの第１のフック状構成部(１７)及び少なくとも１つの第２のフック状構成部(１７)を含み、これらは共通回転軸の周りに旋回可能に、前記ポール(１１)に取り付けられ、それらは、前記フック状構成部(１７)が少なくとも１つの前記IVバッグを支持するように配置される少なくとも１つの第１の位置と、前記フック状構成部(１７)が、垂直重力作用方向に一致又は実質的に一致する垂直位置で、前記IVスタンド(２)の懸架を可能にする垂直方向上側位置で、互いに向かって垂直上方向に回転する第２の位置との間で、操作可能である、システム。
【請求項２】
前記懸架スタンド(３)は、その下側端部で少なくとも１つのベース支持デバイス(６)に接続する少なくとも１つのポール(７)を含み、前記ポールは、少なくとも１つの前記第１の垂直レベル(４)で、少なくとも１つの懸架部材(８)を含み、少なくとも１つの第２の垂直(５)レベルの前記ポールは、少なくとも１つの懸架部材(９)を含み、少なくとも１つの前記IVスタンドは前記第１の垂直レベルに懸架され、少なくとも１つの前記第２のIVスタンドは前記第２の垂直レベルに懸架される、請求項１に記載の、折り畳み可能なIVスタンド(２)の保管のためのシステム(１)。
【請求項３】
前記第１の垂直レベル及び前記第２の垂直レベルは、４つの懸架部材（８）を各々含む、請求項１に記載の、折り畳み可能なIVスタンド(２)の保管のためのシステム(１)。
【請求項４】
前記懸架部材（８、９）は、ロッド、ピン等の 延長部材から成る、請求項２に記載の、折り畳み可能なIVスタンド(２)の保管のためのシステム(１)。
【請求項５】
前記延長部材の長さは調節可能である、請求項３に記載の、折り畳み可能なIVスタンド(２)の保管のためのシステム(１)。
【請求項６】
前記IVスタンドの前記垂直ポール(１１)は、相互に伸縮自在に配置される少なくとも１つの第１の部分(２３)と、少なくとも１つの第２の部分(２４)と、少なくとも１つの第３の部分(２５)とを含む、請求項1〜５のいずれかに記載の、折り畳み可能なIVスタンド(２)の保管のためのシステム(１)。
【請求項７】
前記IVスタンド(２)の前記ベース支持デバイスは、可動ハブ(３３)及び固定ハブ(３２)を含み、前記固定ハブ(３２)は、少なくとも１つの第１の下部と、少なくとも１つの上部と、脚部(３１)の数と対応する数のリセスを有する少なくとも１つの中間部と、を含む、請求項1〜６のいずれかに記載の、折り畳み可能なIVスタンド(２)の保管のためのシステム(１)。
【請求項８】
前記下部及び前記上部及び前記中間部は、ディスク形である、請求項７に記載の、折り畳み可能なIVスタンド(２)の保管のためのシステム(１)。
【請求項９】
前記ベース支持デバイスは、脚部(３１)及び可動ハブ(３３)に関して旋回するように配置される、前記脚部から前記固定ハブ(３２)までの少なくとも１つの支柱(３５)を含む、請求項７又は８の少なくとも１つに記載の、折り畳み可能なIVスタンド(２)の保管のためのシステム(１)。
【発明の詳細な説明】
【技術分野】
【０００１】
本発明は、請求項に従ったIVスタンド（静脈バッグ用スタンド）及びIVスタンドを保管するためのシステムに関する。
【背景技術】
【０００２】
診療においては、例えば点滴、血液等を含有する多数の静脈内点滴が、毎日投与されている。静脈内点滴は、通常、流体を、いわゆるIVバッグ（注入バッグ）から静脈ライン（IVライン）又は類似物を介して患者の血流に輸送することにより、遂行される。IVバッグがいわゆるIVスタンドに患者よりも上方の高さに掛けられれば、IVバッグから患者への流体の移動が通常生じ、重力により流体が患者に輸送される。代替的には、注入ポンプ又は類似物で流体をポンプ輸送することにより、IVバッグ内の流体が患者に輸送され得る。
【０００３】
IVスタンドは通常、垂直ポール、バッグのための懸架デバイス、及びベース、足又は類似物を含む。患者に対してバッグの高さを調節する必要性を満たすため、垂直ポールの長さは、伸縮自在に調節可能である。従って、既存のデザインは、通常、第１のポール部分及び第２のポール部分を含み、それらは、互いに伸縮自在に調節可能である。ポールが通常２つの部分からなるという事実により、スタンドは、限定された範囲のみで、スタンドの長手方向に短くすることができる。
【０００４】
既存の種類のIVスタンドに関する一つの問題としては、使用及び使用しない時の格納の両方のために、かなりの大きな空間を通常必要とすることが挙げられる。この問題は、IVスタンドを使用しない時の格納場所に関して、特に解決が難しい。既存のIVスタンドに関する問題としては、通常、床等の上に立てておくように設計されていることが挙げられる。このことは、多数のIVスタンドを保管すれば、通常、自然と乱雑になり、スタンド同士が互いに容易に引っかかるようになることを意味し、また、IVスタンドの型保管は、かなりの空間を必要とすることを意味する。
【０００５】
IVスタンドを保管するために必要な空間を低減するため、IVスタンドのベース下部は、折り畳み可能に（折り重なるように）なっていた。これによりは、スタンドが占める空間を小さくすることが可能になったが、スタンドの保管は、まだ実際は無秩序である。従って、それが占める空間が最小で、かつ、単純さをもって一度に多数を同時に保管可能であるような、実質的に改善されたIVスタンドの必要性が存在する。本発明に従い、この問題は、使用しないときにIVスタンドを懸架することにより、解決され得る。問題点は、既存の種類のIVスタンドは、懸架されるようになっていないことであり、そのため、スタンドを使用しないときに懸架できる懸架デバイスが必要である。
【０００６】
既存の種類のIVスタンドに関する別の問題は、スタンドの入れ子部分同士間のロックデバイスを迅速に調節することが困難であり得ることである。IVスタンドの含有部分間に惰性が存在し得ることにより、この問題はもたらされる。
【０００７】
既存の種類のIVスタンドに関する更に別の問題は、折りたたみに手間が掛かることである。これはユーザー、特に筋肉の弱いユーザーには、例えばIVスタンドのベースの入れ子を伸縮させて取り外したり取り付けたりすることが困難となり得る。IVスタンドの既存のデザインに関する更に他の問題は、多数の細かい部分を含むため、生産コストが上昇することである。
【０００８】
先行技術
IVバッグ用のスタンドの多数の変形例が、既知である。例えば、米国特許第４８９２２７９号は、IVバッグ用スタンドの変形例を記載する。このデザインは、その脚部が入れ子に縮小（延伸）可能なベースを含む。また、このデザインも、三点セットのテレスコープ式ポールを含む。このデザインは、実質的に本発明のデザインとは異なっている。例えば、この記載に従ったデザインは、本発明のデザインに従った懸架デバイスを欠いている。
【０００９】
米国特許第５４５８３０５号には、折畳み式（折り畳み可能な）ベースを有するIVバッグ用のスタンドの更なる変形例が説明される。このデザインは、伸縮自在に配置された三点セットのポールを更に含む。その記載に従ったスタンドは、本発明のデザインと類似の方法でスタンドを懸架できる懸架デバイスを欠いている。従って、このデザインは、本発明に従ったデザインと実質的に異なっている。
【００１０】
米国特許第４７４４５３６号には、折り畳み可能なベース、伸縮自在に調節可能なポール及び２つの旋回可能に取り付けられたフックを含むIVスタンドの変形例が、説明される。しかしながら、米国特許第４７４４５３６号の
デザインは、その記載によれば、開いた（解放した）端部で目的物が懸架されることができ、これはIVスタンドを懸架する可能性を制限する。本出願に従った懸架デバイスは、任意のロッドの端部又は類似物が、その端部の一つで開いて（解放されて）いないロッド（バー）又は類似物に懸架され得る。これは、共通回転中心の周りに旋回可能なフックで形成され、懸架されているIVスタンドと連携してロッド又は類似物の周りに（かつこれと離れて）回転可能である懸架デバイスによって実現される。
【００１１】
独国登録実用新案第８８１０９０Ｕ号には、ベースと、ポールと、２つのIVスタンドを吊り下げるための２つの取り付けられた懸架デバイスとを含むIVスタンドの変形例が記載されている。しかしながら、独国登録実用新案第８８１０９０Ｕ号のデザインは、その記載によれば、一つのレベルで懸架される一つのスタンドを有しており、これは、
同じレベルで多数のIVスタンドを懸架する可能性を制限する。従って、このデザインは、本発明に従ったデザインと実質的に異なっている。例えば、本出願に従った懸架デバイスは、複数のスタンドを同じレベルで吊り下げることを可能にしている。更に、独国登録実用新案第８８１０９０Ｕ号のデザインは、その記載によれば、折り畳み可能なIVスタンドの保管を考慮に入れていない。
【発明の概要】
【発明が解決しようとする課題】
【００１２】
本発明の主要な目的は、実質的に改善されたIVスタンド及び複数のIVスタンドを保管するためのシステムを創出することにある。別の目的は、IVスタンドが少なくとも２つの垂直レベルで懸架され得る懸濁液スタンドを含むシステムを創出することにある。本発明の更なる目的は、折り畳み可能で、既知のデザインよりもよりスペースの効率的が高い方法で保管されるIVスタンドを創出することにある。本発明の更に他の目的は、個々に又は複数の他のスタンドと共に懸架可能なIVスタンドを創出することにある。
【課題を解決するための手段】
【００１３】
本発明は、例示目的で、本発明の現在の好適な具体例を示す添付の略図に関して、更に詳細に後述される。
【図面の簡単な説明】
【００１４】
【図１Ａ】図１Aは、IVスタンドの保管のためのシステムを、側部からの斜視図で示す。
【図１Ｂ】図１Ｂは、IVスタンド用の懸架スタンドの例示的な実施形態を示す。
【図２】図２は、本発明に従って延長した（伸ばした）IVスタンドを示す。
【図３】図３は、第１の実施形態に従って引っ込めた（折り畳んだ）IVスタンドを示す。
【発明を実施するための形態】
【００１５】
これら図を参照し、特に図１Aを参照すれば、第１の実施形態に従ったIVスタンド２の保管のためのシステム１が示される。システム１なる語の意味は、少なくとも１つの第１のIVスタンド２及び少なくとも１つの第２のIVスタンド２を保管するためのシステム及びIVスタンドの保管を可能にするIVスタンドのデザインのことをいう。IVスタンドの保管のためのシステムの例示的な実施形態では、IVスタンド２は、用いられないときは保管ユニット等に懸架されて保管されると意図される。例示的な実施形態では、IVスタンドは、懸架スタンド３に懸架されて保管される。懸架スタンド３では、IVスタンドは、１つの第１の垂直レベル４及び１つの第２の垂直レベルＳで懸架され、少なくとも１つの第１のIVスタンド２は、少なくとも１つの第１の垂直レベル４で吊り下げられ、少なくとも１つの第２のIVスタンド２は、１つの第２の垂直レベル５で吊り下げられる。
【００１６】
懸架スタンド３の例示的な実施形態では、少なくとも１つの垂直ポール７が接続されるベース支持デバイス６を含む。ベース支持デバイス６は、３本以上の脚部を有する足部を有していてもよい。各脚部は、少なくとも１つの輪を具備してもよい。ポール７は、少なくとも１つの懸架部材８を１つの第１の垂直レベル４上に、及び、少なくとも１つの懸架部材９を１つの第２の垂直レベルＳ上に、有している。第１のレベル４及び第２のレベル５のそれぞれには、多数の懸架部材８及び９がポール７に接続され得る。各懸架部材８及び９は、一つ以上のIVスタンドを支持するのに各々適し得る。例えば、各懸架部材８及び９は、１つのIVスタンド、２つのIVスタンド、３つのIVスタンド、４つのIVスタンド等を吊り下げるのに適し得る。これは、好ましくは、懸架部材がポールから突き出た長さを、懸架部材に吊り下げられるIVスタンドの数に従って変化させることにより達成される。例示的な実施形態では、懸架材は、ポールから外へ延在するロッド（バー）１０、ピン又はその他の突出部材から成る。それぞれの懸架部材８及び９は、代替的な実施形態では、伸縮自在に配置される１つの第１の部分及び１つの第２の部分を含み得る。
【００１７】
また、IVスタンド２なる語は、注入スタンド（ラック）、点滴スタンド等と呼ばれているデザインに関する。IVスタンド２は、少なくとも１つの注入バッグを吊り下げるために用いられることを意図している。IVスタンド２は、少なくとも１つのポール１１と、少なくとも１つの注入バッグのための少なくとも１つの第１の懸架デバイス１２と、少なくとも１つのベース支持デバイス１３とを含んでいる。
【００１８】
IVスタンド２の独自の特徴は、懸垂IVバッグのための懸架デバイス１２は、IVスタンド２が用いられないときは、IVスタンド２のための懸架デバイス１４として、例えば懸架スタンド３に用いられ得ることである。図示されるIVスタンドの好適な具体例に独自な点としては、第１の懸架デバイス１２及び第２の懸架デバイス１４は、全く同一の懸架デバイスに一体化されるということである。
【００１９】
図２及び３を参照し、IVバッグ用及びスタンド用懸架装置１４用の複合懸架装置１２は、更に詳細に全体が示される。懸架デバイス１２は、少なくとも１つの第１の懸架部材１５及び好ましくは少なくとも１つの第２の懸架部材１６を含む。例示的な実施形態における第１の懸架部材１５及び第２の懸架部材１６は、フック状構成部（爪状構成部）１７から成る。フック状構成部１７は、その一端１８に、固定目穴１９等を含んでいる。フック状構成部１７の第２の端部２０は、湾曲状部分２１で構成されている。湾曲状部分２１は、好ましくは環状の形状である。代替的な実施形態では、湾曲状部分２１は、目的に応じて適切な別の形状であり得る。懸架部材１５及び懸架部材１６は、シャフトを介してポールの水平方向に旋回可能に、ポール１１上のブラケット２２に接続される。ブラケット２２は、少なくとも１つの貫通穴を含む。第１の懸架部材１５及び第２の懸架部材１６は、ねじ継手、シャフト又は類似物によってブラケット２２に接続される。
【００２０】
懸架部材１５及び１６の独自の特徴は、これらは共通の軸上に置かれ、懸架部材は、懸架部材が少なくとも１つのIVバッグを支持することを目的とする少なくとも１つの第１の位置と、懸架部材が垂直上方向に互いに向かって、垂直重力に影響された方向に一致又は実質的に一致する垂直位置でスタンド２の懸架を可能にする垂直方向頂上位置へと回転する１つの第２の位置との間で、操作可能であるという点である。このデザインでは、吊り下げられたIVスタンドは、互いにからまらず、また、他の吊り下げられたIVスタンドに引っかかり又は捕らえられることなく、一緒に吊り下げられる。
【００２１】
ポール１１は好ましくは、パイプ、ロッド等で作製される。好ましくは、ポールの長さは、調節可能である。ポール１１の長さは、伸縮自在に調節可能なポールによって調節され得る。ポール１１は、少なくとも１つの第１の部分２３及び少なくとも１つの第２の部分２４と、好ましくは、互いに関して伸縮自在に配置される少なくとも１つの第３の部分２５とを含む。第１の部分２３は、第２の部分２４に挿入可能である。代替的には、第２の部分２４は、第１の部分２３に挿入可能であり得る。第２の部分２４は、第３の部分２５に挿入可能である。代替的には、第３の部分２５は、第２の部分２４に挿入可能であり得る。第１の部分２３は、少なくとも１つの第１のロック装置２６等で第２の部分２４にロックされ得る。第２の部分２４は、少なくとも１つの第２のロック装置２７で第３の部分２５に対してロックされ得る。その上端２８で、入れ子式のポール１１は、第１の懸架デバイス１２のための少なくとも１つのブラケット２２を具備し、又はこれに接続される。ブラケット２２のデザインは、本発明の範囲内で大きく変形することが可能である。例えば、第１の懸架デバイス１２は、急速継手でポールに着脱可能に接続されることが考えられる。ブラケット２２は、ポールの上端に取り外せないように接続されることが更に考えられる。
【００２２】
懸架部材１５及び懸架部材１６は、第１の位置と第２の位置の間で回転軸２９のまわりに旋回可能に配置される。第１の位置は、IVバッグが懸架されると意図される位置である。一つのフック又は複数のフックは、この位置では、図２に示される位置に従い、下向きに回転して、フックの開口を上向きにする。第２の位置は、IVスタンドが懸架されると意図する位置である。一つのフック又は複数のフックは、この位置では、図３に示される位置に従い、互いに向かって回転する。
【００２３】
例示的な図中のベース支持デバイス１３は、足部３０から成る。足部は、少なくとも３つの脚部３１、好ましくは５つの脚部３１を含む。足部３０は、少なくとも一つのポールに関する固定部（ハブ）３２と、一つのポールに関する可動部（ハブ）３３とを更に含む。固定部３２は、ポール１１の足部３０へのブラケットを有している。ポール１１と固定部３２との間の取り付けは、目的に対して適切な方法で行うことができる。
垂直ポール１１は、取り外せないように接続することが意図され、又はIVスタンド２に対して取り外し可能であるように配置される。例えば、ポール及び固定部３２は、要素を十分に固定する目的で、ねじ継手又はその他により、互いに接続され得る。ベース支持デバイスに独自である点は、以前のバージョンのスタンドと異なり、少なくとも１つの第１の取付板と、少なくとも１つの第２の取付板と、第１のプレートと第２のプレートの間の少なくとも１つのスペーサー板とを含んでいることである。
【００２４】
各脚部３１は、その第１の端部３４において支えられ（支持され）、可動部３３に旋回可能に搭載される。各脚部は、その一端で脚部３１に接続する少なくとも１つの支柱３５を更に有する。その他端では、支柱３５は、ポールに対する固定部３２に接続される。
【００２５】
各脚部３１は、その他端３６又は端部の近傍で、少なくとも１つのホイール３７を有している。ホイールの３７のデザインは、本発明の範囲内で大きく変形することが可能である。ホイールは、好ましくは、垂直軸３８のまわりに旋回可能であるいわゆるキャスターホイールタイプのホイールから成る。また、ホイールは、容易に回転しなければならない。代替的な実施形態では、一つ以上のホイールは、一つのホイール（複数のホイール）の回転を防止するため、ロック機能を含み得る。
【００２６】
可動部３３は、その中にポールが置かれる穴部を含む。可動部は、１つの第１の（下側）位置と１つの第2の（上側）位置との間で、ポールの長さに沿って移動し得る。可動部は好ましくは、ポールに対して支持される。この支持による搭載は、適切な支持による搭載の目的で、任意のものから成り得る。その最も簡易な形態では、支持による搭載は、ポールに取り付けられた収縮管の形態の滑り軸受から成る。
【００２７】
IVスタンド２のベース支持デバイスは、互いに脚部３１及び支柱を介して接続される可動ハブ３３及び固定ハブ３２を有する。支柱は、固定ハブ３２に関して回転するように配置される１本の第１のシャフトを介し、及び、脚部３１に対して回転するように配置される１本の第２のシャフトを介している。好適な具体例では、固定ハブ３２は、少なくとも１つの第１の下部、少なくとも１つの上部及び少なくとも１つの中間部を含み、これらは、脚部３１の数に対応する数のリセスを具備する。本発明の好適な具体例では、下部及び上部及び中間部は、ディスク状である。本発明の独自である点は、シャフトは、中間部のリセスに接続されるという点である。シャフト用のリセスは、脚部用のリセスに対して実質的に横向きに置かれる。下部及び上部は、シャフト用のリセスが無く、これは、上部、中間部及び下部が組立てられて一緒になった時に、シャフトはリセスの中に保持されるということを意味する。
【００２８】
本発明の代替的な実施形態では、少なくとも１つのハンドルを含んでもよく、このハンドルにより、IVスタンドは運ばれ案内され得る。ハンドルは、IVスタンドに対して、不変に又は一時的に取り付けられ得る。好ましくは、ハンドルは一時的に、IVスタンドのポール１１に接続される。ハンドルは、パディング又は類似物を含み得る。例えば、ハンドルは、少なくとも一つの衛生材料層で被覆されたフォーム又は類似物材料を含み得る。ハンドルは、例えば在宅ケア及び移動ケアに関連して、IVスタンドが迅速かつ容易に運ばれることを可能にする。
【００２９】
本発明の詳細な説明では、当業者にとって明らかであるデザインの詳細を省略し得るものとしてきた。この明らかなデザインの詳細は、本発明の適切かつ完全な性能が実現されるように、必要な範囲で含まれる。デザインの十分な機能が本出願に従って得られるよう、例えば、ねじ継手、ベアリング（ブッシング）その他等の構成部分が、必要な範囲で含まれる。
【００３０】
たとえ、ある好適な具体例が詳細に説明されたとしても、本発明の範囲内の変形及び変更は、本発明の分野の専門家に明らかであり得るとともに、これら全てが、以下の請求項の範囲内に入るものと解釈される。
【００３１】
＜発明の効果＞
本発明は、数個の利点を有する。最も明らかなことは、システムの、そして、IVスタンドのデザインは、それらが使用中でないときに、既知のIVスタンド保管用デバイスに比べて更に効率的なIVスタンドの保管を実現するということである。別の利点は、本発明に従ったIVバッグ用スタンドが、使いやすいということである。IVスタンドの更にもう一つの利点は、スタンドは、保管にごくわずかな空間しかとらないよう、折り畳まれる（引き込められる）ことができることである。本IVスタンドの更なる利点は、懸架デバイスを含むことであり、この懸架デバイスを用いて、スタンドは、使用しないときに、数個の他のスタンドと共に効率的に懸架される（吊り下げられる）。
【図１Ａ】
2015520651.tif 000003
【図１Ｂ】
2015520651.tif 000004
【図２】
2015520651.tif 000005
【図３】
2015520651.tif 000006
【国際調査報告】
2015520651.tif 000007
2015520651.tif 000008
2015520651.tif 000009